(57)【要約】【課題】  比較的小規模な地域向けの電力供給システムを提供する。【解決手段】  集落の街路灯１、交通信号灯２、共同井戸の地下水を汲み上げるポンプ３は、電線４を介してガスエンジン発電設備６及び太陽光発電設備７を有する共同発電設備５に接続されている。集落内のそれぞれの世帯８は、ポンプ３で汲み上げた地下水の配水を受けるために水道管９を介してポンプ３に接続されている。共同発電設備５で発電した電力により、この地域の街路灯１、交通信号灯２を点灯し、共同井戸のポンプ３を稼働させることにより地下水を汲み上げ、水道管９を介して各世帯８に配水する。各世帯８には各世帯８毎に自家発電設備が備えられており、原則として各世帯８で使用する電力は、自家発電により賄い、不足した場合に共同発電設備５からの電力を受け入れる。【選択図】図１
2006115661.tif 000002
【特許請求の範囲】
【請求項１】
少なくとも１つの共同発電設備と、それぞれが自家発電設備を有する複数の世帯と、電力を使用する電力共同使用設備とを設け、前記電力共同使用設備において使用する電力は前記共同発電設備において発電した電力を使用し、前記世帯で使用する電力は前記世帯の自家発電設備において発電した電力を使用し、前記共同発電設備から前記世帯に電力を供給可能としたことを特徴とする電力供給システム。
【請求項２】
前記電力共同使用設備は、街路灯、交通信号灯、地下水の汲み上げポンプ、監視カメラの少なくとも１つを含むことを特徴とする請求項１に記載の電力供給システム。
【請求項３】
前記共同発電設備及び前記自家発電設備はガスエンジン発電設備と太陽光発電設備とを備えたことを特徴とする請求項１又は２に記載の電力供給システム。
【発明の詳細な説明】
【技術分野】
【０００１】
本発明は、電気・水道のライフラインの整備が困難で、電力会社から電線を配設することが困難な地域や、離島の集落等に用いる比較的小規模な電力供給システムに関するものである。
【背景技術】
【０００２】
例えば、従来から電気・水道の完備されていない集落等においては、一般に各世帯において、それぞれ自家発電設備を用いて電力を得て、各世帯の電灯、地下水の汲み上げポンプの電源としている。
【０００３】
或いは、その集落で使用する電気の全てを賄うことができる発電設備を設け、発電した電力を各世帯に送電する場合もある。
【発明の開示】
【発明が解決しようとする課題】
【０００４】
しかしながら前者の場合には、各世帯において使用する電力は、各世帯毎に自家発電により賄うとしても、道路の街灯や交通信号灯等の電力共同使用設備の電源を何処から供給するか等の問題がある。
【０００５】
また、後者の方法では、発電設備が故障した場合には集落の全てにおいて電気が使用できなくなくなる虞れがある。
【０００６】
更に、このように自家発電せざるを得ない地域は、離島や人里から離れた地域である場合が多く、復旧にも多大な時間を要する。
【０００７】
本発明の目的は、上述の課題を解決し、共同発電設備を設けると共に、各世帯にも自家発電設備を備え、電力共同使用設備で使用する電力は共同発電設備で発電すると共に、各世帯で使用する電力は各世帯で自家発電し、各世帯の自家発電設備が故障したり、自家発電設備だけでは電力不足に陥った際には、共同発電設備から余剰電力を送電することのできる電力供給システムを提供することにある。
【課題を解決するための手段】
【０００８】
上述の目的を達成するための本発明に係る電力供給システムの技術的特徴は、少なくとも１つの共同発電設備と、それぞれが自家発電設備を有する複数の世帯と、電力を使用する電力共同使用設備とを設け、前記電力共同使用設備において使用する電力は前記共同発電設備において発電した電力を使用し、前記世帯で使用する電力は前記世帯の自家発電設備において発電した電力を使用し、前記共同発電設備から前記世帯に電力を供給可能としたことにある。
【発明の効果】
【０００９】
本発明に係る電力供給システムによれば、電力共同使用設備を稼働させる電力を発電するための中央の共同発電設備を設けると共に、各世帯には自家発電設備を設けたことにより、各世帯で使用する電力は自家発電で賄い、電力共同使用設備で使用する電力は共同発電設備で発電した電力を用いることができる。
【００１０】
また、共同発電設備と各世帯を電線を介して接続し、世帯の自家発電設備が故障したり、自家発電設備だけでは電力不足に陥った場合に、共同発電設備から余剰な電力の分配を受けることができ、この間に自家発電設備の復旧作業等を行うことができる。
【発明を実施するための最良の形態】
【００１１】
本発明を図示の実施例に基づいて説明する。
図１は例えばこの電力供給システムの一単位である１つの集落における電力供給システムの概略図を示しており、この集落の街路灯１、交通信号灯２、共同井戸の地下水を汲み上げるポンプ３は、電線４を介して共同発電設備５のガスエンジン発電設備６及び太陽光発電設備７に接続されている。
【００１２】
また、この集落内のそれぞれの世帯８では、ポンプ３において汲み上げた共同井戸の地下水の配水を受けるために水道管９が敷設されている。各世帯８は共同井戸から汲み上げた地下水の配水を水道管９により受けることができ、各世帯で独自の井戸を掘ったり管理する手間やコストを節約することができる。また、各世帯８は電線１０を介して共同発電設備５に接続されている。
【００１３】
図２は世帯８における個々の世帯の自家発電設備の概略図を示しており、各世帯８はそれぞれ使用する電力量に応じて、例えば最大消費電力３〜４ｋＷの世帯８は５ｋＷの出力のガスエンジン発電設備１１及び３ｋＷの出力の太陽光発電設備１２を有しており、これらのガスエンジン発電設備１１、太陽光発電設備１２により発電した電力を蓄電する３ｋＷ×１０ｈの蓄電容量のバッテリ１３を有している。
【００１４】
このような電力供給システムを構築した地域においては、共同発電設備５で発電した電力により、この地域の街路灯１、交通信号灯２を点灯し、共同井戸のポンプ３を稼働させることにより地下水を汲み上げ、水道管９を介して各世帯８に配水する。
【００１５】
また、それぞれの世帯８はそれぞれが備えたガスエンジン発電設備１１、太陽光発電設備１２等により自家発電により電力を賄うことを原則とし、昼間は太陽光発電設備１２により発電し世帯８内において使用し、余剰となった分はバッテリ１３に蓄電し、太陽光発電設備１２だけでは電力不足の場合にはガスエンジン発電設備１１を稼働させる。そして、夜間にはバッテリ１３に蓄電した電力を使い切った場合にガスエンジン発電設備１１を稼働させる。
【００１６】
共同発電設備５、世帯８は共にガスエンジン発電設備６、１１及びクリーンエネルギである太陽光発電設備７、１２の２種類の発電設備を備えたことにより、夜間はガスエンジン発電設備６、１１を用い、昼間は太陽光発電設備７、１２により発電することにより、ガスエンジン発電設備６、１１の燃料であるガスの消費を節約することができると共に、昼間でも太陽光発電設備７、１２が故障したり、太陽光発電設備７、１２だけでは発電量が不足した場合にはガスエンジン発電設備６、１１を稼働させることにより不足分の電力を補うことができる。
【００１７】
更に各世帯８において、ガスエンジン発電設備１１、太陽光発電設備１２が故障したり、ガスエンジン発電設備１１、太陽光発電設備１２だけでは電力量が不足となった場合には、電線１０を介して共同発電設備５から不足分の電力の供給を受けることができる。
【００１８】
また、上述したような地域は、一般にガスや重油等の燃料自体の運搬にも問題を有している場合が多く、太陽光発電設備のような燃料を用いないクリーンエネルギを併用することが好ましい。
【００１９】
本実施例においては、電力共同使用設備として街灯１、交通信号灯２、ポンプ３としたが、監視カメラ等を追加してもよい。
【産業上の利用可能性】
【００２０】
本実施例においては、一例として、共同発電設備、各世帯共にガスエンジン発電設備１１と太陽光発電設備１２を併用して発電したが、例えば設置場所、設置コスト、発電環境に応じて、水力発電、風力発電、地熱発電、燃料電池発電等の発電方式を組み合わせたり、更には発電方式は１つに統一してもよい。
【００２１】
また、本実施例においては余剰となった電力は各世帯のバッテリ１３に蓄電し夜間に使用しているが、世帯８で余剰となった電力を共同発電設備５側に供給するようにしてもよい。
【図面の簡単な説明】
【００２２】
【図１】電力供給システムの概略図である。
【図２】世帯の自家発電システムの概略図である。
【符号の説明】
【００２３】
１  街灯
２  交通信号灯
３  ポンプ
４、１０  電線
５  共同発電設備
６、１１  ガスエンジン発電設備
７、１２  太陽光発電設備
８  世帯
９  水道管
【図１】
2006115661.tif 000003
【図２】
2006115661.tif 000004